(57)【要約】【課題】  ディスクの回転にともなって生じる気流が発生させるディスクの振動を低減することができるディスク装置を提供する。【解決手段】  本発明に係るディスク装置は、回転する磁気ディスク１０１と、磁気ディスク１０１を収納するベース１０２と、ディスク１０１をベース１０２内に密閉し、エンクロージャを形成するトップ・カバー１０７と、磁気ディスク１０１の外側に配置され、エンクロージャ内において塵埃を捕らえる循環フィルタ１２０と、循環フィルタ１２０から流出した気流を磁気ディスク１０１の外縁部分１０１ａより中心側に導く気流ガイド１３１とを備えるものである。さらに、本発明に係るディスク装置は、磁気ディスク１０１の外縁部分１０１ａ付近に設けられ、その外縁部分１０１ａ付近に流出する気流を遮断する遮断部１３３を備える。【選択図】  図２
2006185486.tif 000002
【特許請求の範囲】
【請求項１】
回転するディスクと、
前記ディスクを収納するベースと、
前記ディスクを前記ベース内に密閉し、エンクロージャを形成するトップ・カバーと、
前記ディスクの外側に配置され、前記エンクロージャ内において塵埃を捕らえる循環フィルタと、
前記循環フィルタから流出した気流を前記ディスクの外縁部分よりも中心側に導く気流ガイドと、
を備えるディスク装置。
【請求項２】
前記気流ガイドは、前記ディスクの外縁部分付近に設けられ、前記外縁部分付近に流出する気流を遮断する遮断部を有する、
請求項１記載のディスク装置。
【請求項３】
前記気流ガイドは、前記ディスクの外縁部分付近に配置され、前記ディスクの中心側に突出する案内部を有する、
請求項１又は２記載のディスク装置。
【請求項４】
前記案内部は、前記ディスクの回転にともなって発生する気流の回転方向に湾曲する、
請求項３記載のディスク装置。
【請求項５】
前記気流ガイドは、前記ディスクの下面において前記循環フィルタから流出した気流を導く、
請求項１乃至４のいずれかに記載のディスク装置。
【請求項６】
前記気流ガイドは、前記ディスクの上面と前記トップ・カバーの下面との間において前記循環フィルタから流出した気流を導く、
請求項１乃至４のいずれかに記載のディスク装置。
【請求項７】
複数の前記ディスクと、複数の前記気流ガイドとを備え、
前記複数の気流ガイドは、前記複数のディスクの間において前記気流を導く、
請求項１乃至６のいずれかに記載のディスク装置。
【請求項８】
前記遮断部は、前記案内部と一体形成されている、
請求項３又は４記載のディスク装置。
【請求項９】
ディスクと、
前記ディスクを収納するベースと、
前記ディスクを前記ベース内に密閉し、エンクロージャを形成するトップ・カバーと、
前記エンクロージャ内において前記ディスクの中心付近に配置され、前記ディスクを回転させるスピンドル・モータと、
前記ディスクの外側に配置され、前記エンクロージャ内において塵埃を捕らえる循環フィルタと、
前記ディスクの外縁部分付近に設けられ、前記外縁部分付近に流出する気流を遮断する遮断部と、前記遮断部より前記ディスクの中心側に突出する案内部とを有する気流ガイドと、
を備えるディスク装置。
【発明の詳細な説明】
【技術分野】
【０００１】
本発明は、ディスクの回転にともなう気流により生じるフラッタの低減を図ったディスク装置に関する。
【背景技術】
【０００２】
情報記憶再生装置として、光ディスクや磁気テープなどの様々な態様のメディアを使用する装置が知られている。その中で、ハードディスク・ドライブは、コンピュータの記憶装置として広く普及し、現在のコンピュータ・システムにおいて欠かすことができない記憶装置の一つとなっている。さらに、ハードディスク・ドライブの用途は、コンピュータ・システムにとどまらず、その優れた特性により益々拡大している。例えば、動画像記憶再生装置、カー・ナビゲーション・システム、あるいはデジタル・カメラなどで使用されるリムーバブル・メモリなどにも使用されている。
【０００３】
ハードディスク・ドライブは、データを記憶する磁気ディスクと、磁気ディスクとの間のデータ読み出し及び／もしくは書き込みを行うヘッド、及び、ヘッドを磁気ディスク上の所望の位置に移動するアクチュエータを備えている。アクチュエータはボイス・コイル・モータによって駆動され、回動軸を中心として回動することによって、回転する磁気ディスク上でヘッドを半径方向に移動させる。これによって、ヘッドが磁気ディスクに形成された所望のトラックにアクセスし、データの読み出し／書き込み処理を行うことができる。
【０００４】
ところで、このＨＤＤは、ＨＤＤのベースとトップ・カバーで密閉された機構部（ＨＤＡ；Hard Disk Assembly）内において、ヘッドとディスクのインターフェースの信頼性を確保することが求められている。そのため、磁気ヘッドを駆動するアクチュエータから漏れ出る潤滑油や、駆動機構の摩耗によって発生する恐れがある微少な塵埃を除去する必要がある。したがって、この塵埃を捕集する循環フィルタがＨＤＡ内の圧力差が発生する部位に配置される。磁気ディスクが回転すると、ディスク外縁部分の外側でディスクの回転方向に気流が生じ、この気流が循環フィルタを通過することによって、気流に含まれる塵埃を除去することができる。
【０００５】
ＨＤＤの記録トラックの短ピッチ化が進むにつれ高精度のトラッキング精度が望まれるが、回転時の磁気ディスクの振動はこのトラッキング動作の精度に大きな影響を与える。ＨＤＡ内においてはディスクの回転にともなって気流は、ディスクの外縁部分に沿って設けられる整流壁によりスムーズに流れる。この整流壁は、できる限り連続的なものが好ましく、これによって気流により生じるディスクの振動を抑制することができる。しかしながら、上述の循環フィルタは、例えばＨＤＡの隅部などに配置され、通常、整流壁はこの隅部において不連続となる。これは、循環フィルタに気流を流入する流入口、循環フィルタから気流を流出させる流出口が設けられるからである。
【０００６】
そこで、特許文献１に記載のハードディスク・ドライブ装置においては、流入した気流をディスク間の高さになるように案内するガイド部を設けたものである。特許文献１に記載の技術におけるハードディスク・ドライブ装置が、図１２に示されている。図１２に示すように、このハードディスク・ドライブ装置では、ハードディスク９０１が回転できるようにハードディスク９０１の外縁部分９０１ａと整流壁９０２との間には、間隙９０３が設けられている。集塵用フィルタ９０４を通過して流出した気流は、ハードディスク９０１の下面に沿って流出するとともに、ハードディスク９０１の外縁部分９０１ａのエッジ面と間隙９０３との間を通って、ハードディスク９０１上面へと流出する。そのため、ハードディスク９０１は、この気流がハードディスク９０１上面へと向かうときにハードディスク９０１の外縁部分９０１ａのエッジ面に当たることによって振動する。特許文献１に記載の技術によれば、この上昇する気流を確実に制御することができないので、その上昇する気流によって発生するハードディスク９０１に振動を確実に抑制することができない。
【特許文献１】特開平０５−３４７０８９号公報
【発明の開示】
【発明が解決しようとする課題】
【０００７】
本発明は、このような問題点を解決するためになされたものであり、ディスクの回転にともなって生じる気流が発生させるディスクの振動を低減することができるディスク装置を提供することを目的とする。
【課題を解決するための手段】
【０００８】
本発明に係るディスク装置は、回転するディスクと、前記ディスクを収納するベースと、前記ディスクを前記ベース内に密閉し、エンクロージャを形成するトップ・カバーと、前記ディスクの外側に配置され、前記エンクロージャ内において塵埃を捕らえる循環フィルタと、前記循環フィルタから流出した気流を前記ディスクの外縁部分よりも中心側に導く気流ガイドと、を備えるものである。このような構成において、循環フィルタからの気流をディスク面に沿わせることができるので、ディスクの外縁部分付近において気流がディスクに接触するのを防止することができる。これによって、ディスクの回転にともなって生じる気流が発生させるディスクの振動を低減することができる。
【０００９】
さらに、前記気流ガイドは、前記ディスクの外縁部分付近に設けられ、前記外縁部分付近に流出する気流を遮断する遮断部を有する。これにより、ディスクの外縁部分付近において気流がディスクに接触するのを確実に防止することができるので、ディスクの振動を確実に低減することができる。
【００１０】
また、前記気流ガイドは、前記ディスクの外縁部分付近に配置され、前記ディスクの中心側に突出する案内部を有する。この場合には、循環フィルタからの気流をディスクの回転によって生じる気流に導くことができる。これによって、ディスクの外縁部分付近において気流がディスクに接触するのをより確実に防止することができるので、ディスクの振動をより確実に低減することができる。
【００１１】
またさらに、前記案内部は、前記ディスクの回転にともなって発生する気流の回転方向に湾曲する。この場合には、循環フィルタからの気流をディスクの回転によって生じる気流に向きに導くことができる。これによって、ディスクの外縁部分付近において気流がディスクに接触するのをより一層確実に防止することができるので、ディスクの振動をより一層確実に低減することができる。
【００１２】
好適には、前記気流ガイドは、前記ディスクの下面において前記循環フィルタから流出した気流を導いたり、前記ディスクの上面と前記トップ・カバーの下面との間において前記循環フィルタから流出した気流を導いたりする。
【００１３】
さらに、複数の前記ディスクと、複数の前記気流ガイドとを備え、前記複数の気流ガイドは、前記複数のディスクの間において前記気流を導くことができる。これにより、ディスクの回転によって発生する気流が複雑となる場合であっても対応することができる。
【００１４】
さらにまた、前記遮断部は、前記案内部と一体形成されている。これによって、循環フィルタからの気流を整流する気流ガイドと遮断壁とを安価に製造することができる。
【００１５】
本発明に係るディスク装置は、ディスクと、前記ディスクを収納するベースと、前記ディスクを前記ベース内に密閉し、エンクロージャを形成するトップ・カバーと、前記エンクロージャ内において前記ディスクの中心付近に配置され、前記ディスクを回転させるスピンドル・モータと、前記ディスクの外側に配置され、前記エンクロージャ内において塵埃を捕らえる循環フィルタと、前記ディスクの外縁部分付近に設けられ、前記外縁部分付近に流出する気流を遮断する遮断部と、前記遮断部より前記ディスクの中心側に突出する案内部とを有する気流ガイドと、を備えるものである。このような構成において、循環フィルタからの気流をディスク面に沿わせることができるので、ディスクの外縁部分付近において気流がディスクに接触するのを防止することができる。これによって、ディスクの回転にともなって生じる気流が発生させるディスクの振動を低減することができる。
【発明の効果】
【００１６】
本発明に係るディスク装置によれば、ディスクの回転にともなって生じる気流が発生させるディスクの振動を低減することができる。
【発明を実施するための最良の形態】
【００１７】
以下、本発明を適用した具体的な実施の形態について、図面を参照しながら詳細に説明する。この実施の形態は、本発明を、例えば２．５型の高速回転かつ高トラック数（ＴＰＩ；Tracks Per Inch）であるハードディスク・ドライブ（ＨＤＤ）に適用したものである。
【００１８】
発明の実施の形態１．
まず、図１を用いて、本実施の形態にかかるＨＤＤ１００の概略構成について説明する。図１は、本実施の形態に係るＨＤＤ１００の概略構成を示すための上面図である。図１において、１０１はデータが記録されるディスクであって、磁性層が磁化されることによってデータを記憶する不揮発性の磁気ディスクである。１０２はハードディスク・ドライブ１００の各構成要素を収容するベースである。ベース１０２は、図２に示すように、ベース１０２の上部開口を塞ぐトップ・カバー１１７とガスケット１１８を介して固定されることによってディスクエンクロージャを構成し、ハードディスク・ドライブ１００の各構成要素を密閉状態で収容することができる。
【００１９】
特に、本実施の形態におけるベース１０２は、磁気ディスク１０１の回転によって生じる気流がスムーズに流れるよう、磁気ディスク１０１の外縁部分１０１ａに沿って整流壁１１９がほぼ連続的に形成されている。具体的には、後述するように、整流壁１１９はアクチュエータ・アーム１０８が揺動する位置及び循環フィルタ１２０から気流が流出するための気流ガイド１２１以外は、磁気ディスク１０１の外縁部分１０１ａに沿って形成される。循環フィルタ１２０は、ベース１０２の隅部に配置され、隅部に磁気ディスク１０１の回転に応じて生じる気流が流入される。循環フィルタ１２０はその気流に含まれる塵埃を捕集し、循環フィルタ１２０を通過した気流は気流ガイド１２１から排出される。すなわち、循環フィルタ１２０は、磁気ディスク１０１の回転方向に循環する気流に含まれた塵埃を捕集する回転循環フィルタである。なお、磁気ディスク１０１の外縁部分１０１ａは、磁気ディスク１０１の外端面のことである。換言すれば、この外縁部分１０１ａとは、薄い磁気ディスク１０１を囲む面の内、主面に対して幅狭い面のことである。従って、この外縁部分１０１ａとは、磁気ディスク１０１のエッジによって主面と区別された面のことである。
【００２０】
１０３はスピンドル・モータ、１０４はスピンドル・モータ１０３に設けられているハブである。１０５は、ホスト（不図示）との間で入出力されるデータについて、磁気ディスク１０１への書き込み及び／又は読み出しを行うヘッドである。ヘッド１０５（磁気ヘッド１０５）は、磁気ディスク１０１への記憶データに応じて電気信号を磁界に変換する記録素子及び／又は磁気ディスク１０１からの磁界を電気信号に変換する再生素子と、記録素子及び／又は再生素子がその面上に形成されているスライダとを有している。上述の循環フィルタ１２０による塵埃の捕集により、ヘッド１０５と磁気ディスク１０１との間にゴミを巻き込むことによるヘッド・クラッシュを防止すること等ができる。
【００２１】
１０６はヘッド１０５を保持、移動するアクチュエータである。アクチュエータ１０６は、回動軸１０７に回動自在に保持されており、アクチュエータ・アーム１０８と駆動機構としてのボイス・コイル・モータ（ＶＣＭ）１０９とを備えている。アクチュエータ・アーム１０８は、ヘッド１０５が配置されたその先端部から、サスペンション１１０、ヘッド・アーム１１１及びコイル・サポート１１２の順で結合された各構成部材を備えている。
【００２２】
１１３はフラットコイル、１１４はベース１０２に固定された上側ステータ・マグネット保持板である。尚、上側ステータ・マグネット保持板１１４は、主要部が便宜上切り欠いて図示され、外形が破線で示されている。図示されていないが、フラットコイル１１３の下側には、上側ステータ・マグネット保持板１１４との間においてフラットコイル１１３を挟むように、下側ステータ・マグネット保持板が配置される。ＶＣＭ１０９は、フラットコイル１１３、上側ステータ・マグネット保持板１１４に固定されたステータ・マグネット（不図示）、及び下側ステータ・マグネット保持板に固定されたステータ・マグネット（不図示）を備えている。１１５は、磁気ディスク１０１の回転が停止するときには、ヘッド１０５を磁気ディスク１０１から退避させるためのランプ機構である。１１６はサスペンション１１０の先端部に形成されたタブである。尚、ヘッド１０５がデータ書き込み／読み出し処理を行わない場合に、磁気ディスク１０１の内周に配置されているゾーンに退避するＣＳＳ（Contact Start and Stop）方式に、本形態のアクチュエータ１０６を適用することも可能である。
【００２３】
磁気ディスク１０１は、ベース１０２の底面に固定されたスピンドル・モータ１０３のハブ１０４に一体的に保持され、スピンドル・モータ１０３により所定の速度で回転駆動される。ハードディスク・ドライブ１００の非動作時には、磁気ディスク１０１は静止している。回動軸１０７に回動自在に保持されたコイル・サポート１１２には、コイル・サポート・アーム１１２ａ、１１２ｂが形成されている。コイル・サポート・アーム１１２ａ、１１２ｂは、回動軸１０７に対してヘッド・アーム１１１と反対側において、フラットコイル１１３を保持する。ＶＣＭ１０９は、コントローラ（不図示）からフラットコイル１１３に流される駆動信号に応じて、回動軸１０７を中心としてアクチュエータ・アーム１０８を回動し、磁気ディスク１０１の上にヘッド１０５を移動する、もしくは、磁気ディスク１０１の外側へヘッド１０５移動することができる。
【００２４】
磁気ディスク１０１からのデータの読み取り／書き込みのため、アクチュエータ１０６は回転している磁気ディスク１０１表面のデータ領域上空にヘッド１０５を移動する。アクチュエータ１０６が回動することによって、ヘッド１０５が磁気ディスク１０１の表面の半径方向に沿って移動する。これによって、ヘッド１０５が所望のトラックにアクセスすることができる。ヘッド１０５は、磁気ディスク１０１に対向するスライダのＡＢＳ（Air Bearing Surface）面と回転している磁気ディスク１０１との間の空気の粘性による圧力が、サスペンション１１０によって磁気ディスク１０１方向に加えられる圧力とバランスすることによって、ヘッド１０５は磁気ディスク１０１上を一定のギャップを置いて浮上する。
【００２５】
磁気ディスク１０１の回転が停止すると、ヘッド１０５が磁気ディスク１０１表面に接触し、吸着現象によってデータ領域の傷の発生、磁気ディスクの回転不能などの問題が起こるため、磁気ディスク１０１の回転が停止するときには、アクチュエータ１０６はヘッド１０５をデータ領域からランプ機構１１５に退避させる。アクチュエータ１０６がランプ機構１１５の方向に回動し、アクチュエータ先端部のタブ１１６がランプ機構１１５表面上を摺動しながら移動し、ランプ機構１１５上のパーキング面に載ることにより、ヘッド１０５ドがアンロードされる。ロードのときには、パーキング面に支持されていたアクチュエータ１０６は、ランプ機構１１５から離脱して磁気ディスク１０１表面上空に移動する。
【００２６】
ここで、磁気ディスク１０１は、１又は複数枚からなり、また片面又は両面記録のいずれであってもよい。両面記憶のときは各記憶面を走査するヘッドを保持するサスペンションを記録面に対応する数用意し、一の磁気ディスク１０１に対して、一方のサスペンション１１０と所定の間隔をおいて重なる位置でヘッド・アームを介してコイル・サポート１１２に固定する。また、複数枚の磁気ディスクを両面記憶する場合には、ハブ１０４によってスピンドル・モータ１０３の回転軸方向に所定の間隔で複数枚の磁気ディスクを一体的に保持する。それぞれ各記憶面を走査するヘッドを保持するサスペンションを記憶面の数だけ用意し、図１のサスペンション１１０と所定の間隔をおいて重なる位置でヘッド・アームを介してコイル・サポート１１２に固定する。
【００２７】
次に、図２乃至図５を用いて、本実施の形態のＨＤＤ１００について更に詳細に説明する。図２は、ＨＤＤのエンクロージャ内の塵埃を捕獲することでその清浄度を維持するための循環フィルタ部分を拡大して示す斜視図である。図３は、この循環フィルタ部分の断面図であり、図１におけるIII−III断面図である。なお、図２においては、本実施の形態におけるＨＤＤ１００の循環フィルタ部分が視認しやすいように、磁気ディスク１０１を省略している。
【００２８】
ＨＤＤ１００のベース１０２には、上述したように、磁気ディスク１０１が配置される磁気ディスク１０１の外形と略同形の凹部（格納部）１２２が設けられ、この格納部１２２に単数枚の磁気ディスク１０１が格納される。図２，３においては、この格納部１２２に単数枚の磁気ディスク１０１が格納されるが、これに限らず、複数枚の磁気ディスク１０１が格納されるように構成してもよい。
【００２９】
本実施の形態においては、図２の矢印の方向にディスクが回転する。ここで、格納部１２２の底面はベース１０２の底面であるが、アクチュエータ・アーム１０８が配置される格納部１２３の底面より高く形成される。これは、磁気ディスク１０１が配置される格納部１２２の底面が磁気ディスク１０１に近接しているほど、すなわち磁気ディスク１０１の最下面とこの最下面に対向する格納部１２３の底面との距離が小さいほど磁気ディスク１０１の回転によって生じる気流による振動が抑制されるためである。
【００３０】
また、磁気ディスク１０１の格納部１２２の側壁（整流壁１１９）は磁気ディスク１０１の外縁部分１０１ａに沿って対向するよう形成される。この整流壁１１９により、磁気ディスク１０１の回転により、その外縁部分１０１ａの周囲で主に発生する気流の乱れを抑制し、気流の乱れにより磁気ディスク１０１に生じる振動の影響を抑制する。したがって、この整流壁１１９は、磁気ディスク１０１の外縁部分１０１ａの周囲で発生する気流をスムーズに流すために、磁気ディスク１０１の外縁部分１０１ａの全域に亘って連続して形成されることが好ましい。
【００３１】
しかしながら、整流壁１１９が磁気ディスク１０１の回転を妨げないように、この整流壁１１９と磁気ディスク１０１の外縁部分１０１ａとの間に間隙１０２ａが設けられている。そのため、循環フィルタ１２０を通過した気流は、磁気ディスク１０１の下方から、この間隙１０２ａを通過して磁気ディスク１０１の上面へと流入する。すなわち、磁気ディスク１０１の外縁部分１０１ａ付近の間隙１０２ａを上昇する気流が発生している。この上昇する気流によって、磁気ディスク１０１の動作は上下に振動し、磁気ディスク１０１にフラッタが発生する。近時、磁気ディスク１０１の記録容量の増加にともなって、磁気ディスク１０１のＴＰＩが狭くなってくると、この磁気ディスク１０１の振動の影響が大きくなり、少しでも振動を低減させることが望まれる。
【００３２】
これらの実情に鑑み、この上昇する気流をできる限り低減させるべく、本願発明者等が鋭意研究した。その結果、循環フィルタ１２０から流出した気流を磁気ディスク１０１の外縁部分１０１ａよりも中心側（内側）に導く気流ガイド１２１を設けた場合に、このフラッタを抑制することができることを知見した。さらに、本願発明者等は、このように磁気ディスク１０１の外縁部分１０１ａ付近の間隙１０２ａを上昇する気流を遮蔽したとしても、その流出量が実質上小さくなることによって流入する気流が減ることになるものの、その塵埃の捕集効果にそれほど影響を与えないことを知見した。
【００３３】
図４及び図５は、本実施の形態における気流ガイド１２１を示す模式図である。ここで、図２を適宜参照しながら、気流ガイド１２１について説明する。ここで、図４（ａ）は、図２と同様の方向から観察した斜視図であり、図４（ｂ）は、図４（ａ）に対して背面方向（後方、あるいはベース１０２の外縁側）から観察した斜視図である。また、図５（ｃ）は、図４に対して下方（ベース１０２の底面側）から観察した斜視図であり、図５（ｄ）は、図５（ｃ）に対して背面方向（後方、あるいはベース１０２の外縁側）から観察した斜視図である。
【００３４】
図４及び図５に示すように、気流ガイド１２１の案内部１３１は、アーチ状の形状を有し、このアーチ状の凹部が流出口１３２となる。すなわち、気流ガイド１２１は、図２に示すように、案内部１３１が直立してアーチを形成するようにベース１０２の底面上に固定されることで、案内部１３１の凹部によって流出口１３２が形成される。
【００３５】
図２に示すように、流出口１３２は、少なくとも磁気ディスク１０１の下面より下方に設けられる。詳細には、案内部１３１の上面が磁気ディスク１０１の回転を阻害しないように、案内部１３１の上面が磁気ディスク１０１の下面よりも下方に配置されるように設けられる。換言すれば、案内部１３１上面は、磁気ディスク１０１が固定された固定面とほぼ同じ、あるいはこの固定面よりも若干低く（ベース１０２底面に近く）配設されている。また、磁気ディスク１０１が複数枚の場合には、最もベース１０２底面側に配置される磁気ディスク１０１の下面（以下、最下面という。）より下方に設けられる。
【００３６】
案内部１３１は、アーチ状に窪んだ方向に対して垂直な方向に厚みを有する。すなわち、案内部１３１の窪み（凹部）によって形成された流出口１３２がトンネル状に延在している。図２に示すように、案内部１３１は、磁気ディスク１０１の記録面に対して略平行に突出するように、ベース１０２に固定されている。換言すれば、案内部１３１が磁気ディスク１０１の固定面に略平行に突出し、流出口１３２が磁気ディスク１０１の記録面（固定面）に沿って延びている。従って、案内部１３１は、循環フィルタ１２０を通過する気流を磁気ディスク１０１の下面に沿った気流に案内する。
【００３７】
図４及び図５に示すように、遮断部１３３は、略板状の形状を有する遮断壁であり、その狭い側面において案内部１３１の上部に固着されている。この遮断部１３３は、気流ガイド１２１は遮断部１３３が直立するようにベース１０２に固定されている。換言すれば、遮断部１３３は、アーチ状の案内部１３１の窪む方向に延在し、案内部１３１が突出する方向に略垂直な方向に延在している。図２に示すように、案内部１３１に設けられる遮断部１３３は、案内部１３１の上部において整流壁１１９へと繋がる整流壁を構成し、その上面は、整流壁１１９の上面に沿って配設されている。従って、遮断部１３３は、従来の流出口の上部を遮断し、案内部１３１によって形成された流出口１３２が所定の高さとなるように流出口１３２を塞ぐ。また、遮断部１３３の磁気ディスク１０１の外縁部分１０１ａに対向する面は、この遮断部１３３によって整流壁１１９ができるだけ連続となるように、磁気ディスク１０１の外縁部分１０１ａの形状に沿った滑らかな形状とされる。詳細には、遮断部１３３の全面は、整流壁１１９表面と滑らかに連結するように配設されている。
【００３８】
気流ガイド１２１の案内部１３１下端には、循環フィルタを挿入するフィルタ・ケース１３４が設けられている。このフィルタ・ケース１３４は、案内部１３１の流出口１３２の延在方向に対して突設され、詳細には遮断部１３３とは反対側に固着されている。フィルタ・ケース１３４内の循環フィルタはたとえば略矩形の板状のフィルタであり、ベース１０２底部に形成された貫通孔（不図示）から流入した空気が上下に通過することで上下方向の気流を形成する。このような気流ガイド１２１は、遮断部１３３、案内部１３１、フィルタ・ケース１３４を一体形成することができる。具体的には、鋳造等によって所定の型を用いて、一体形成された気流ガイド１２１を安価に製造することができ、気流ガイド１２１の製造コストを低減することができる。
【００３９】
また、図２に示すように、整流壁１１９には、気流ガイド１２１が嵌め込まれる嵌合凹部１３５が形成されている。気流ガイド１２１は、案内部１３１が磁気ディスク１０１の中心方向に突出するように、嵌合凹部１３５に嵌め込まれている。換言すれば、気流ガイド１２１は、遮断部１３３の背面において嵌合凹部１３５に嵌め込まれている。嵌合凹部１３５の端部で開口が形成され、この位置で不連続となる。そして、この開口が、流出口１３２から流出する気流が流入する流入口１３６となる。嵌合凹部１３５内の流入口１３６と流出口１３２の気流が流出する手前に循環フィルタ１２０が配置され、流入口１３６から流れ込んだ気流に含まれる塵埃を捕集する。この循環フィルタ１２０を両脇から挟持して支えるため、ベース１０２の側壁から突出された挟持突起１３７ａ，１３７ｂとが設けられている。
【００４０】
図６及び図７は、流入口１３６から流入した気流が循環フィルタ１２０を介して気流ガイド１２１から流出する様子を説明する図である。図６は、その断面図であり、図７は、その斜視図である。回転する磁気ディスク１０１によって生じた気流は流入口１３６から流入し、循環フィルタ１２０により塵埃が捕獲され、清浄化された気流が気流ガイド１２１の流出口１３２から流出する。このとき、気流ガイド１２１の案内部１３１上面が磁気ディスク１０１の下面よりも下方に配設しているので、流出口１３２は磁気ディスク１０１下面よりも下方に位置している。さらに、気流ガイド１２１の遮断部１３３によって、循環フィルタ１２０を通過した気流が磁気ディスク１０１の外縁部分１０１ａ付近の間隙１０２ａに流出するのを防いでいる。そのため、気流が磁気ディスク１０１外縁部分１０１ａ付近の間隙１０２ａを上昇するのを防ぐことができ、この上昇する気流によって磁気ディスク１０１が振動するのを抑制することができる。また、気流ガイド１２１の案内部１３１が磁気ディスク１０１の中心方向に突出しているので、流出口１３２から流出した気流は、磁気ディスク１０１の中心付近に導かれる。そのため、循環フィルタ１２０を通過した気流をこの磁気ディスク１０１中心付近の気流に容易に導くことができ、磁気ディスク１０１外縁部分１０１ａ付近の間隙１０２ａにおいて上昇するのを防いでいる。従って、上昇する気流による磁気ディスク１０１のフラッタが抑制される。
【００４１】
発明の実施の形態２．
発明の実施の形態２における気流ガイド２００が、図８に示されている。図８に示すように、この気流ガイド２００の案内部２０１は案内部１３１に比べて、磁気ディスク１０１の中心方向に延びている。さらに、この案内部２０１は、磁気ディスク１０１の回転方向に向かって湾曲している。すなわち、気流が磁気ディスク１０１の回転方向に発生するので、案内部２０１は、気流の方向に曲がっている。これによって、この案内部２０１の流出口２０２に沿って気流をガイドし、磁気ディスク１０１の回転によって発生する気流の回転方向に導くことができる。また、遮断部２０３は、循環フィルタ１２０からの気流が磁気ディスク１０１の外縁部分１０１ａ付近の間隙１０２ａに流出するのを防ぐ。
【００４２】
このように、気流ガイド２００の案内部２０１を気流の回転方向に湾曲させることによって、循環フィルタ１２０を通過した気流を磁気ディスク１０１下面に発生する気流に導きやすくなる。これによって、循環フィルタ１２０を通過した気流が磁気ディスク１０１外縁部分１０１ａ付近の間隙１０２ａを上昇するのをより確実に防ぐことができ、磁気ディスク１０１のフラッタをより確実に抑制することが可能となる。また、図８に示された案内部２０１の開口幅は案内部１３１の開口幅に比べて狭いように図示されている。アーチ状の案内部２０１の開口幅は、特に限定されないので、所望の気流の流出量、塵埃の捕集効果等に応じて設計される。
【００４３】
発明の実施の形態３．
発明の実施の形態１においては、気流ガイド１２１によって気流を磁気ディスク１０１の下面においてガイドしたが、気流を磁気ディスク１０１の上面においてガイドしてもよい。本実施の形態における気流ガイド２１０が、図９に示されている。磁気ディスク１０１上面においては、トップ・カバー１１７下面との間で、磁気ディスク１０１の回転にともなって回転する気流が発生している。この気流の回転方向は磁気ディスク１０１の回転方向である。図９に示すように、この気流ガイド２１０の案内部２１１は、磁気ディスク１０１の上面にガイドし、流出口２１２から気流を流出する。これによって、案内部２１１は、循環フィルタ１２０からの気流を、この磁気ディスク１０１上面とトップ・カバー１１７との間で磁気ディスク１０１の回転方向に回転する気流へと導く。このとき、遮断部２１３は、循環フィルタ１２０からの気流が磁気ディスク１０１の外縁部分１０１ａ付近の間隙１０２ａに流出するのを防ぐ。
【００４４】
このように、磁気ディスク１０１の上面に気流を導く場合であっても、磁気ディスク１０１の外縁部分１０１ａ付近の間隙１０２ａを気流が通らないので、この気流によって磁気ディスク１０１が指導するのを防ぐことができ、フラッタ抑制の効果を得ることができる。また、図９に示す案内部２１１の突出端は、発明の実施の形態２における案内部２０１と同様に、磁気ディスク１０１上面の気流の回転方向を向いている。従って、案内部２１１においても、案内部２０１と同様の効果を得ることができる。
【００４５】
発明の実施の形態４．
発明の実施の形態４における気流ガイド２２０が、図１０に示されている。図１０に示された気流ガイド２２０は、ＨＤＤ１００が複数枚の磁気ディスク（図１０には図示せず）を備えた場合である。具体的には、この気流ガイド２２０は、筒状の複数の案内部２２１ａ，２２１ｂ，２２１ｃを備え、これらは上下（ベース１０２とトップ・カバー１１７との間）に配置されている。筒状の案内部２２１ａ，２２１ｂ，２２１ｃに流出口２２２ａ，２２２ｂ，２２２ｃが形成されている。また、各案内部２２１ａ，２２１ｂ，２２１ｃを連結する部分で、これら流出口２２２ａ，２２２ｂ，２２２ｃを除いた部分が、遮断部として機能している。これらの案内部２２１ａ，２２１ｂの間、案内部２２１ｂ，２２１ｃの間それぞれに、単数枚の磁気ディスクが配置される。また、本実施の形態における気流ガイド２２０には遮断部が設けられず、案内部２２１ａが最上段に設けられているが、これに限らず、最上段に遮断部１３３と同様の遮断部を設けてもよい。
【００４６】
このように、複数の案内部２２１ａ，２２１ｂ，２２１ｃによって各磁気ディスクの間に、循環フィルタ１２０を通過した気流を導くことができ、各磁気ディスクの外縁部分１０１ａの間隙１０２ａを気流が通過しないようにすることができる。これによって、複数枚の磁気ディスクであっても、磁気ディスクのフラッタを抑制することができる。特に、本実施の形態における案内部２２１ａ，２２１ｂ，２２１ｃは、筒状の形状を有するので、循環フィルタ１２０からの気流を磁気ディスクの中心側へと確実に導くことができる。
【００４７】
発明の実施の形態５．
発明の実施の形態４における案内部２２１ａ，２２１ｂ，２２１ｃは、筒状の形状を有したが、これに限らず、磁気ディスクの外縁部分１０１ａよりも中心側に気流を導くことができる形状であればよい。本実施の形態における気流ガイド２３０が、図１１に示されている。この気流ガイド２３０の案内部２３１ａ，２３１ｂ，２３１ｃは、筒状ではなく、上面若しくは下面がないトレイ状のものである。トレイ状の案内部２３１ａ，２３１ｂ，２３１ｃに流出口２３２ａ，２３２ｂ，２３２ｃが形成されている。また、各案内部２３１ａ，２３１ｂ，２３１ｃを連結する部分で、これら流出口２３２ａ，２３２ｂ，２３２ｃを除いた部分が、遮断部として機能している。このような構造の気流ガイド２３０によっても、上記の各実施の形態と同様の効果を得ることができ、磁気ディスクのフラッタを抑制することが可能となる。
【００４８】
なお、本発明は上述した実施の形態のみに限定されるものではなく、本発明の要旨を逸脱しない範囲において種々の変更が可能であることは勿論である。
【図面の簡単な説明】
【００４９】
【図１】本発明の実施の形態に係るＨＤＤの概略構成を示すための上面図である。
【図２】本発明の実施の形態に係るＨＤＤのベースにおける気流ガイドが配置される部位を拡大して示す斜視図である。
【図３】本発明の実施の形態に係るＨＤＤのベースにおける気流ガイドが配置される部位を示す断面図である。
【図４】本発明の実施の形態に係るＨＤＤにおける気流ガイドを拡大して示す斜視図である。
【図５】本発明の実施の形態に係るＨＤＤにおける気流ガイドを拡大して示す斜視図である。
【図６】本発明の実施の形態に係るＨＤＤにおける気流ガイドの流入口から流入した気流が流出口から流出する様子を説明する模式図である。
【図７】本発明の実施の形態に係るＨＤＤにおける気流ガイドの流入口から流入した気流が流出口から流出する様子を説明する模式図である。
【図８】本発明の実施の形態に係るＨＤＤのベースにおける他の気流ガイドが配置される部位を拡大して示す斜視図である。
【図９】本発明の実施の形態に係るＨＤＤのベースにおける他の気流ガイドが配置される部位を拡大して示す斜視図である。
【図１０】本発明の実施の形態に係るＨＤＤのベースにおける他の気流ガイドが配置される部位を拡大して示す斜視図である。
【図１１】本発明の実施の形態に係るＨＤＤのベースにおける他の気流ガイドが配置される部位を拡大して示す斜視図である。
【図１２】従来のＨＤＤにおける流入口から流入した気流が流出口から流出する様子を説明する模式図である。
【符号の説明】
【００５０】
１００…ハードディスク・ドライブ（ＨＤＤ）
１０１…磁気ディスク
１０１ａ…外縁部分
１０２…ベース
１０２ａ…間隙
１０３…スピンドル・モータ
１０４…ハブ
１０５…ヘッド（磁気ヘッド）
１０６…アクチュエータ
１０７…回動軸
１０８…アクチュエータ・アーム
１０９…ボイス・コイル・モータ
１１０…サスペンション
１１１…ヘッド・アーム
１１２…コイル・サポート
１１２ａ，１１２ｂ…コイル・サポート・アーム
１１３…フラットコイル
１１４…上側ステータ・マグネット保持板
１１５…ランプ機構
１１６…タブ
１１７…トップ・カバー
１１８…ガスケット
１１９…整流壁
１２０…循環フィルタ
１２１…気流ガイド
１２２，１２３…格納部
１３１…案内部
１３２…流出口
１３３…遮断部
１３４…フィルタ・ケース
１３５…嵌合凹部
１３６…流入口
１３７ａ，１３７ｂ…挟持突起
２００…気流ガイド
２０１…案内部
２０２…流出口
２０３…遮断部
２１０…気流ガイド
２１１…案内部
２１２…流出口
２１３…遮断部
２２０…気流ガイド
２２１ａ，２２１ｂ，２２１ｃ…案内部
２２２ａ，２２２ｂ，２２２ｃ…流出口
２３０…気流ガイド
２３１ａ，２３１ｂ，２３１ｃ…案内部
２３２ａ，２３２ｂ，２３２ｃ…流出口
【図１】
2006185486.tif 000003
【図２】
2006185486.tif 000004
【図３】
2006185486.tif 000005
【図４】
2006185486.tif 000006
【図５】
2006185486.tif 000007
【図６】
2006185486.tif 000008
【図７】
2006185486.tif 000009
【図８】
2006185486.tif 000010
【図９】
2006185486.tif 000011
【図１０】
2006185486.tif 000012
【図１１】
2006185486.tif 000013
【図１２】
2006185486.tif 000014